(57)【要約】【課題】飼い主が長時間外出する場合でも、ペットに安全かつ快適な環境を与えることができるペットハウスの提供を目的とする。【解決手段】本考案のペットハウスは、底壁、周壁及び天壁を有し、内部にペット収容空間部が形成されるペット収容部材と、上記周壁に設けられる開口と、上記天壁の内面側に配設され、冷却材を保持可能な天面側冷却材保持手段と、上記天壁に形成され、上記ペット収容空間部と外気とを連通する複数の連通孔とを備えている。上記天面側冷却材保持手段として、冷却材を載置可能な板状の載置部材を有するとよい。上記天壁が、上記載置部材の上面側を開閉可能な蓋部材を有するとよい。上記複数の連通孔が、上記天面側冷却材保持手段によって保持される冷却材の平面位置と異なる箇所に形成されているとよい。【選択図】図１
0003171056.tif 000002
【実用新案登録請求の範囲】
【請求項１】
底壁、周壁及び天壁を有し、内部にペット収容空間部が形成されるペット収容部材と、
上記周壁に設けられる開口と、
上記天壁の内面側に配設され、冷却材を保持可能な天面側冷却材保持手段と、
上記天壁に形成され、上記ペット収容空間部と外気とを連通する複数の連通孔と
を備えるペットハウス。
【請求項２】
上記天面側冷却材保持手段として、冷却材を載置可能な板状の載置部材を有する請求項１に記載のペットハウス。
【請求項３】
上記天壁が、上記載置部材の上面側を開閉可能な蓋部材を有する請求項２に記載のペットハウス。
【請求項４】
上記複数の連通孔が、上記天面側冷却材保持手段によって保持される冷却材の平面位置と異なる箇所に形成されている請求項１、請求項２又は請求項３に記載のペットハウス。
【請求項５】
上記天面側冷却材保持手段が、ペット収容空間部の平面位置中央部分に冷却材を保持可能に設けられ、
上記複数の連通孔が、保持される冷却材よりも外側でかつ天壁の周縁に沿って形成されている請求項４に記載のペットハウス。
【請求項６】
上記複数の連通孔が、天壁の周縁全体に亘りかつ略等間隔で形成されている請求項５に記載のペットハウス。
【請求項７】
上記天面側冷却材保持手段によって保持される冷却材と天壁との間に配設される断熱部材を有する請求項１から請求項６のいずれか１項に記載のペットハウス。
【請求項８】
上記底壁の内面側又は外面側に、冷却材を保持可能な底面側冷却材保持手段を有する請求項１から請求項７のいずれか１項に記載のペットハウス。
【請求項９】
上記開口を開閉可能に構成される扉部と、
上記ペット収容部材に連結される持ち運び手段と
を有する請求項１から請求項８のいずれか１項に記載のペットハウス。
【請求項１０】
上記周壁のうち上記開口が設けられる外側面を連結面として外付け固定するための固定手段を有する請求項１から請求項９のいずれか１項に記載のペットハウス。
【考案の詳細な説明】
【技術分野】
【０００１】
本考案は、ハウス内を快適な温度に保つことができるペットハウスに関する。
【背景技術】
【０００２】
犬や猫、兎等のペットを飼っている家庭では、ペットを室内に長時間置いた状態で外出しなければならない場合がある。しかしながら、特に夏場等の室内温度が高くなるときは、ペットを高温の室内に置いておくとペットが体調を悪化させたり、熱中症にかかったりすることがある。それゆえ、ペットを飼っている家庭では、夏場等に長時間外出する場合、ペットの体調不良を防止するためにエアコン等の空調装置を作動させ、快適な温度に保たれた室内にこのペットを置いておく必要がある。
【０００３】
この点、ペットを快適な環境に置いておくためのペット用の冷暖房装置等も発案されており、例えば、ペット用冷暖防具（特開２００５−２８７３７４号公報参照）が発案されている。このペット用冷暖防具によると、ペットを快適な環境下に置いておくことができる。しかしながら、この冷暖防具は、電熱式であるため、使用するためには一定の電気料がかかる。また、この冷暖防具は、配線を介して電源を得ているので、この配線にペットが絡まったり、配線が抜けたり、ペットが怪我をしたりするおそれも考えられる。
【０００４】
また、ペットの快適な環境を得るべく、ペットの下に敷かれるペット用冷却マットも存在し、このペット用冷却マットは冷却材を収容可能に設けられている。しかし、このようなペット用冷却マットは、直接ペットと接するものであり、ペットの体温により比較的早く冷却材が溶けるため、飼い主が長時間外出する場合には、エアコン等の他の空調装置に頼らざるを得ないという問題を抱えている。
【先行技術文献】
【特許文献】
【０００５】
【特許文献１】特開２００５−２８７３７４号公報
【考案の概要】
【考案が解決しようとする課題】
【０００６】
本考案は、このような不都合に鑑みてなされたものであり、飼い主が長時間外出する場合でも、ペットに安全かつ快適な環境を与えることができるペットハウスの提供を目的とするものである。
【課題を解決するための手段】
【０００７】
上記課題を解決するためになされた考案は、
底壁、周壁及び天壁を有し、内部にペット収容空間部が形成されるペット収容部材と、
上記周壁に設けられる開口と、
上記天壁の内面側に配設され、冷却材を保持可能な天面側冷却材保持手段と、
上記天壁に形成され、上記ペット収容空間部と外気とを連通する複数の連通孔と
を備えるペットハウスである。
【０００８】
当該ペットハウスは、天面側冷却材保持手段に冷却材を保持させると、この冷却材がペット収容空間部の上方に配置されることになる。そして、この冷却材が周囲を冷却すると、この周囲の冷却された空気（冷気）がペット収容空間部内を下方側に移動し、これによりペット収容空間部が冷却される。当該ペットハウスは、このように冷却材を用いてペット収容空間部を冷却するものであるので、従来のペット用冷暖房装置のような電気代がかからず、使用コストを低減することができる。
【０００９】
また、当該ペットハウスにあっては、上述のようにペット収容空間部を冷却するものであり、従来のペット用冷却マットのようにペットが冷却材の上に載るように設けられているものと異なり、ペットの体温によって冷却材が温められ冷却効果が早期に失われることを防止することができる。さらに、当該ペットハウスは、上述のように冷気がペット収容空間部の下方側に移動するに伴ってペットの体温等で温められた空気（暖気）はペット収容空間部の上方側に移動する。そして、当該ペットハウスは、天壁に複数の連通孔が形成されているので、ペット収容空間部の上方側に移動した暖気が連通孔を介して外部に放出されやすい。このため当該ペットハウスは、ペットの体温等で温められペット収容空間部の上方に移動した暖気がペット収容空間部の上方に滞留してしまうことを防止でき、暖気によって冷却材が温められることを低減することができ、ひいては冷却材を長持ちさせることができる。
【００１０】
当該ペットハウスは、上記天面側冷却材保持手段として、冷却材を載置可能な板状の載置部材を有するとよい。これにより、冷却材を容易かつ確実に保持することができる。
【００１１】
当該ペットハウスは、上記天壁が、上記載置部材の上面側を開閉可能な蓋部材を有するとよい。これにより、冷却材を容易に交換することができる。
【００１２】
当該ペットハウスは、上記複数の連通孔が、上記天面側冷却材保持手段によって保持される冷却材の平面位置と異なる箇所に形成されているとよい。これにより、冷却材によって冷却された冷気が降下する平面位置と、ペットの体温等で温められた暖気が上昇する平面位置とを相違させることができる。従って、当該ペットハウスは、冷気をスムーズに降下させ、かつ暖気をスムーズに上昇させることができるとともに、上昇した暖気を連通孔から容易に排気させることができる。
【００１３】
当該ペットハウスは、上記天面側冷却材保持手段が、ペット収容空間部の平面位置中央部分に冷却材を保持可能に設けられ、上記複数の連通孔が、保持される冷却材よりも外側でかつ天壁の周縁に沿って形成されているとよい。これにより、平面方向中央部から冷気をスムーズに降下させ、かつ周壁に沿って暖気をスムーズに上昇させることができ、上昇した暖気を連通孔から容易に排気させることができる。
【００１４】
当該ペットハウスは、上記複数の連通孔が、天壁の周縁全体に亘りかつ略等間隔で形成されているとよい。これにより、上昇した暖気を全体的にバランスよく排気させることができる。
【００１５】
当該ペットハウスは、上記天面側冷却材保持手段によって保持される冷却材と天壁との間に配設される断熱部材を有するとよい。これにより、冷却材が温められることによって冷却効果が早期に失われるのを防止することができる。
【００１６】
当該ペットハウスは、上記底壁の内面側又は外面側に、冷却材を保持可能な底面側冷却材保持手段を有するとよい。これにより、ペット収容空間部を下方からも冷却することができる。当該ペットハウスは、底面側冷却材保持手段に保持される冷却材によってもペット収容空間部が冷却される結果、天面側冷却材保持手段によって保持される冷却材をさらに長持ちさせることができる。
【００１７】
当該ペットハウスは、上記開口を開閉可能に構成される扉部と、上記ペット収容部材に連結される持ち運び手段とを有するとよい。これにより、ペットを当該ペットハウスに収容して容易に持ち運ぶことができる。
【００１８】
当該ペットハウスは、上記周壁のうち上記開口が設けられる外側面を連結面として外付け固定するための固定手段を有するとよい。これにより、当該ペットハウスを他のケージに対して容易に外付けすることができ、ペットの飼育空間を広げることができる。
【考案の効果】
【００１９】
以上説明したように、本考案のペットハウスは、飼い主が長時間外出する場合でも、ペットに安全かつ快適な環境を与えることができる。
【図面の簡単な説明】
【００２０】
【図１】本考案の一実施形態に係るペットハウスであって、（ａ）は模式的正面図、（ｂ）は模式的側面図、（ｃ）は模式的平面図である。
【図２】図１のペットハウスのＡ−Ａ線端面図である。
【図３】図１のペットハウスと異なる形態に係るペットハウスであって、（ａ）は模式的正面図、（ｂ）は模式的側面図である。
【図４】図３のペットハウスのＢ−Ｂ線端面図である。
【図５】図１及び図３のペットハウスとは異なる形態に係るペットハウスを示す模式的斜視図である。
【図６】図５のペットハウスの連結方法を示す模式的斜視図である。
【考案を実施するための形態】
【００２１】
以下、適宜図面を参照しつつ、本考案の実施の形態を詳説する。
［第一実施形態］
【００２２】
図１のペットハウス１は、ペット収容部材２を有している。ペット収容部材２は、底壁３と、周壁４と、天壁５とを有している。ペット収容部材２は、内部にペット収容空間部が形成されている。ペットハウス１は、室内、室外を問わず使用することができる。
【００２３】
ペット収容部材２は、底壁３及び底壁３の周縁から立設される周壁４と、周壁４の上端に連結される天壁５により形成されている。ペット収容部材２は、直方体状に形成されている。ペット収容部材２は、透明な合成樹脂により形成されている。ペット収容部材２に使用される合成樹脂としては、特に限定されるものではなく、ＰＥＴ（ポリエチレンテレフタレート）等が挙げられる。ペット収容部材２の大きさとしては、収容されるペットのサイズに応じて適宜決められるものであり特に限定されないが、例えば、ペットとしてアナウサギを収容する場合であれば、幅１５ｃｍ〜４０ｃｍ、奥行き３０ｃｍ〜６０ｃｍ、高さ３０ｃｍ〜６０ｃｍ程度とされる。
【００２４】
周壁４は、４つの側壁が筒状に連結されることにより形成されている。周壁４には開口６が設けられている。開口６はペットが出入りするためのものである。当該ペットハウス１は、犬、猫、兎等のペットが開口６から任意に出入りできるように構成されている。開口６は、周壁４のうち、幅方向長さが短い一対の側壁のうちの一方の側壁の下端からアーチ状に形成されている。
【００２５】
天壁５には、ペット収容空間部と外気とを連通する複数の連通孔７が形成されている。また、天壁５は、蓋部材８を有している。複数の連通孔７及び蓋部材８の詳細については後述する。
【００２６】
図２を参照して、ペットハウス１の内部構造について説明する。ペットハウス１は、載置部材１１（天面側冷却材保持手段に相当）と、冷却材１２と、断熱部材１３と、防滴シート１４と、簀子１５とを有している。
【００２７】
まず、天壁５に設けられる複数の連通孔７及び蓋部材８について説明する。複数の連通孔７は、載置部材１１によって保持される冷却材１２の平面位置と異なる箇所に形成されている。また、複数の連通孔７は、冷却材１２よりも外側でかつ天壁５の周縁に沿って形成されている。さらに、複数の連通孔７は、天壁５の周縁全体に亘り、かつ略等間隔で形成されている。
【００２８】
連通孔７の配設ピッチとしては、特に限定されないが、１ｃｍ以上１０ｃｍ以下が好ましく、２ｃｍ以上９ｃｍ以下がさらに好ましく、３ｃｍ以上８ｃｍ以下が特に好ましい。連通孔７の配設ピッチが上記範囲を超えると、暖気を十分に排気できないおそれがある。逆に、連通孔７の配設ピッチが上記範囲未満であると、暖気の排気効率の向上割合が低下するとともに、ペット収容部材２の密閉性が低下するおそれがある。
【００２９】
また、連通孔７の平均径としては、特に限定されないが、一般的には２ｃｍ以下とされている。連通孔７の個数としては、特に限定されないが、６個以上６０個以下が好ましく、１０個以上５０個以下がさらに好ましく、１５個以上４０個以下が特に好ましい。連通孔７の配設個数が上記範囲を超えると、暖気の排気効率の向上割合が低下するとともに、ペット収容部材２の密閉性が低下するおそれがある。逆に、連通孔７の配設個数が上記範囲未満であると、暖気を十分に排気できないおそれがある。
【００３０】
蓋部材８は、載置部材１１の上面側を開閉可能に形成されている。蓋部材８は、奥行方向の一端側の側縁（本実施形態では直線状に形成された側の側縁）が枠部１９と回動自在に軸支されている。蓋部材８は、奥行方向の他端側の側縁（本実施形態では円弧状に形成された側の側縁）を持ち上げ又は持ち下げることによって容易に開閉される。蓋部材８の大きさとしては、特に限定されないが、冷却材１２を容易に出し入れできるだけの大きさを有していることが好ましく、奥行方向が１５ｃｍ以上５０ｃｍ以下、幅方向が１０ｃｍ以上３０ｃｍ以下とすることができる。
【００３１】
載置部材１１は、天壁５の内面側に配設されている。載置部材１１は、冷却材１２を保持可能に形成されている。載置部材１１は、冷却材１２を載置可能な板状に形成されている。載置部材１１は、載置部１６と載置部１６の端部から延設される掛止部１７とを有している。載置部材１１は、掛止部１７が周壁４の上端に掛止させることによって周壁４の上部に連結されている。載置部材１１は、載置部１６がペット収容空間部１８の平面位置中央部分に位置するように形成されている。載置部材１１は、ペット収容部材２の下方から上昇してくる暖気を遮断してしまわないための領域を確保しつつペット収容部材２に連結されている。また、載置部材１１の載置部１６には複数の穿孔（図示せず）が設けられている。載置部材１１は、複数の穿孔を有することにより、冷却材１２によって冷却された冷気を好適にペット収容空間部１８に下降させることができる。載置部材１１の形成材料としては、特に限定されるものではなく、合成樹脂、金属等を適宜用いることができる。当該ペットハウス１は、載置部材１１が掛止部１７を周壁４の上端に掛止されることによって周壁４の上部に連結されるものであり、着脱容易に構成されている。従って、当該ペットハウス１は、載置部材１１を着脱させることにより、ペット収容空間部１８や簀子１５の清掃を容易に行うことができる。
【００３２】
冷却材１２は、載置部１６に載置されている。冷却材１２は、載置部１６に載置されることにより、ペット収容空間部１８の平面方向中央部分に保持されている。冷却材１２は、予め冷却、冷凍等された蓄熱タイプの部材である。かかる冷却材１２としては、中空の合成樹脂製薄型容器や袋体に水、吸水性ポリマー等を封入したもの等が挙げられる。なお、冷却材１２としては、複数の冷却材が用いられてもよい。
【００３３】
断熱部材１３は、載置部材１１によって載置される冷却材１２と天壁５との間に配設されている。具体的には、断熱部材１３は、冷却材１２の少なくとも上部と側部とを被覆するように配設されている。断熱部材１３の形成材料としては、特に限定されるものではなく、硬質ウレタンフォーム、軟質ウレタンフォーム、発泡スチロール等の合成樹脂発泡体等が挙げられる。
【００３４】
防滴シート１４は、冷却材１２の使用に伴って生じる水滴等が滴下するのを防止するためのものである。防滴シート１４は、冷却材１２の下方に敷設されている。防滴シート１４としては、一枚のシートのみが使用されてもよく、２枚以上のシートが積層して使用されてもよい。防滴シート１４の形成材料としては、特に限定されないが、不織布や不織布と合成樹脂との積層体等が挙げられる。また、防滴シート１４としては、軟質ウレタンフォーム等、断熱性を有する材料を積層し、断熱効果が得られるようにしてもよい。
【００３５】
簀子１５は、矩形状の枠体に複数の線状部材が格子状に組み合わされて形成されている。簀子１５は、ペット収容部材２の底壁３上に敷設されている。当該ペットハウス１は、簀子１５を敷設することにより、ペットが尿等で濡れるのを防止している。また、当該ペットハウス１は、仮に冷却材１２の使用に伴って生じる水滴が上方から滴下してきた場合でも、簀子１５が敷設されていることにより、この水滴がペットの脚等に付着するのを防止することができる。従って、当該ペットハウス１は、ペットが当該ペットハウス１から出ていった場合でも、室内がペットに付着した水滴で汚れるのを防止することができる。
【００３６】
当該ペットハウス１は、天面側冷却材保持手段に冷却材１２を保持させると、冷却材１２がペット収容空間部１８の上方に配置されることになる。そして、この冷却材１２が周囲を冷却すると、この周囲の冷却された空気（冷気）がペット収容空間部１８内を下方側に移動し、これによりペット収容空間部１８が冷却される。当該ペットハウス１は、このように冷却材１２を用いてペット収容空間部１８を冷却するものであるので、従来のペット用冷暖房装置のような電気代がかからず、使用コストを低減することができる。
【００３７】
また、当該ペットハウス１にあっては、上述のようにペット収容空間部１８を冷却するものであり、従来のペット用冷却マットのようにペットが冷却材１２の上に載るように設けられているものと異なり、ペットの体温によって冷却材１２が温められ冷却効果が早期に失われることを防止することができる。さらに、当該ペットハウス１は、上述のように冷気がペット収容空間部１８の下方側に移動するに伴ってペットの体温等で温められた空気（暖気）はペット収容空間部１８の上方側に移動する。そして、当該ペットハウス１は、天壁５に複数の連通孔７が形成されているので、ペット収容空間部１８の上方側に移動した暖気が連通孔７を介して外部に放出されやすい。このため当該ペットハウス１は、ペットの体温等で温められペット収容空間部１８の上方に移動した暖気がペット収容空間部１８の上方に滞留してしまうことを防止でき、暖気によって冷却材１２が温められることを低減することができ、ひいては冷却材１２を長持ちさせることができる。
【００３８】
当該ペットハウス１は、天面側冷却材保持手段として、冷却材１２を載置可能な板状の載置部材１１を有しているので、冷却材１２を容易かつ確実に保持することができる。
【００３９】
当該ペットハウス１は、天壁５が、載置部材１１の上面側を開閉可能な蓋部材８を有しているので、冷却材１２を容易に交換することができる。
【００４０】
当該ペットハウス１は、複数の連通孔７が、天面側冷却材保持手段によって保持される冷却材１２の平面位置と異なる箇所に形成されているので、冷却材１２によって冷却された冷気が降下する平面位置と、ペットの体温等で温められた暖気が上昇する平面位置とを相違させることができる。従って、当該ペットハウス１は、冷気をスムーズに降下させ、かつ暖気をスムーズに上昇させることができるとともに、上昇した暖気を連通孔７から容易に排気させることができる。
【００４１】
当該ペットハウス１は、天面側冷却材保持手段が、ペット収容空間部１８の平面位置中央部分に冷却材１２を保持可能に設けられ、複数の連通孔７が、保持される冷却材１２よりも外側でかつ天壁５の周縁に沿って形成されているので、平面方向中央部から冷気をスムーズに降下させ、かつ周壁４に沿って暖気をスムーズに上昇させることができ、上昇した暖気を連通孔７から容易に排気させることができる。
【００４２】
当該ペットハウス１は、複数の連通孔７が、天壁５の周縁全体に亘りかつ略等間隔で形成されているので、上昇した暖気を全体的にバランスよく排気させることができる。
【００４３】
当該ペットハウス１は、天面側冷却材保持手段によって保持される冷却材１２と天壁５との間に配設される断熱部材１３を有しているので、冷却材１２が温められることによって冷却効果が早期に失われるのを防止することができる。
【００４４】
［第二実施形態］
図３のペットハウス２１は、ペット収容部材２２と、冷却材保持部２３（底面側冷却材保持手段に相当）と、脚部２４とを有している。ペットハウス２１について、図１のペットハウス１と同様の構成については、同一番号を付して説明を省略する。
【００４５】
ペット収容部材２２は、底壁２５及び底壁２５の周縁から立設される周壁４と、周壁４の上端に連結される天壁５により形成されている。ペット収容部材２２は、直方体状に形成されている。ペット収容部材２２の形成材料及び大きさとしては、ペット収容部材２と同様である。
【００４６】
底壁２５には複数の孔（図示せず）が設けられている。ペット収容部材２２は、底壁２５の外面側で冷却材保持部２３と連結されている。また、ペット収容部材２２は、底壁２５の外面側の四隅において脚部２４と連結されている。ペット収容部材２２と冷却保持部２３及び脚部２４との連結構造については後述する。
【００４７】
冷却材保持部２３は、ペット収容部材２２の底壁２５の外面側に連結されている。冷却材保持部２３は、冷却材を保持可能に形成されている。冷却材保持部２３は、載置部とこの載置部の端縁から立設される周壁とを有している。冷却材保持部２３は、載置部と周壁とによりトレー状に形成されている。冷却材保持部２３の形成材料としては、特に限定されないが、ペット収容部材２と同様の材料や、金属等が挙げられる。冷却材保持部２３の載置部と周壁とによって形成される内部領域は、通常、載置部材１１の内部領域よりも小さくなるように形成されている。
【００４８】
脚部２４は、ペット収容部材２２の底壁２５の外面側の四隅に連結されている。脚部２４は、ペット収容部材２２と同一材料により一体的に形成されてもよく、同一材料又は異なる材料により別体として形成されてもよい。脚部２４がペット収容部材２２と別体として形成される場合、ペット収容部材２２と脚部２４とはビス等によって連結することができる。また、脚部２４をペット収容部材２２と別体として形成する場合の形成材料としては、合成樹脂、金属等が挙げられる。脚部２４の長さとしては、冷却材保持部２３の厚さ以上であれば特に限定されない。
【００４９】
次に、図４を参照して、ペットハウス２１の内部構造について説明する。ペットハウス２１は、載置部材１１（第一の冷却材保持部に相当）と、冷却材１２、３１と、断熱部材１３、３２と、断熱シート３３と、防滴シート１４、３４と、簀子１５とを有している。ペットハウス２１の内部構造について、図２のペットハウス１と同様の構成については、同一番号を付して説明を省略する。
【００５０】
まず、ペット収容部材２２の底壁２５と冷却材保持部２３との連結構造について説明する。冷却材保持部２３の奥行方向に設けられる一対の側壁の上端には断面Ｔ字状のガイドレールが形成されている。また、ペット収容部材２２の底壁２５の外面側には、この一対のガイドレールと係合される一対のガイド溝が形成されている。当該ペットハウス２１は、冷却材保持部２３の一対のガイドレールとペット収容部材２２の底壁２５の一対のガイド溝とを係合させるように、冷却材保持部２３を奥行方向にスライドさせることによってペット収容部材２２と冷却材保持部とが連結される。
【００５１】
冷却材３１は、冷却材保持部２３に収容される。冷却材３１は、予め冷却、冷凍等された蓄熱タイプの部材である。冷却材３１としては、冷却材１２と同様のものを使用することができるが、冷却材１２よりも小さいものが好適に使用される。
【００５２】
断熱部材３２は、冷却材３１と底壁２５との間に配設されている。断熱部材３２の形成材料としては、特に限定されるものではなく、断熱部材１３と同様のものが使用できるが、冷却材３１によって生じる冷気を一定程度外部に伝えることができるものであることが必要とされる。
【００５３】
断熱シート３３は、冷却材３１の下方に敷設される。断熱シート３３の形成材料としては、断熱部材１３と同様のものが挙げられる。
【００５４】
防滴シート３４は、ペットの尿等が孔３５から冷却材保持部２３側に滴下するのを防止するためのものである。防滴シート３４は、簀子１５の下方に敷設される。防滴シート３４の形成材料としては、防滴シート１４と同様である。
【００５５】
当該ペットハウス２１は、底壁２５の外面側に、冷却材３１を保持可能な底面側冷却材保持手段を有しているので、ペット収容空間部１８を下方からも冷却することができる。当該ペットハウス２１は、底面側冷却材保持手段に保持される冷却材３１によってもペット収容空間部１８が冷却される結果、天面側冷却材保持手段によって保持される冷却材１２をさらに長持ちさせることができる。
【００５６】
当該ペットハウス２１は、ペット収容部材２２の底壁２５に複数の孔３５が設けられているので、冷却材３１によって生じる冷気をペット収容空間部１８に好適に対流させることができる。また、当該ペットハウス２１は、防滴シート３４を有しているので、ペット収容部材２２の底壁２５に複数の孔３５が設けられている場合でも、ペットの尿等が底面側冷却材保持手段側に滴下するのを防止することができる。
【００５７】
当該ペットハウス２１は、底面側冷却材保持手段がペット収容部材２２の底壁２５の外面側に設けられているので、冷却材３１によって生じる冷気はペット収容部材２２の底壁２５側からペット収容空間部１８に容易に対流し、ペットを脚元から冷却することができる。従って、当該ペットハウス２１は、冷却材３１が冷却材１２よりも小さく形成されている場合であっても、冷却材１２と合わせて十分な冷却効果を付与することができる。また、当該ペットハウス２１は、冷却材３１がペット収容空間部１８に収容されるペットに近接して設けられるので、冷却材３１が断熱部材３２で被覆されている場合でも、ペット収容空間部１８に収容されるペットに適度な冷気を送ることができる。
【００５８】
また、当該ペットハウス２１は、冷却材３１の代わりにカイロ等の温熱剤を使用するようにすれば、体調不良のペットの腹部等を下方から温めることもできる。
【００５９】
［第三実施形態］
図５のペットハウス４１は、ペット収容部材４２と、扉部４３と、取っ手４４（持ち運び手段に相当）と、一対の連結チェーン４５と、支え台４６とを有している（連結チェーン４５と支え台４６とは固定手段に相当）。
【００６０】
ペット収容部材４２は、底壁４７及び底壁４７の周縁から立設される周壁４８と、周壁４８の上端に連結される天壁４９により形成されている。周壁４８は、４つの側壁が筒状に連結されることにより形成されている。ペット収容部材４２は、周壁４８を形成する一の側壁と天壁４９の一の側端とが回動自在に連結されている。また、ペット収容部材４２は、上記側壁と天壁４９との連結箇所と反対側に位置する側壁と天壁４９とが公知の錠等の係止手段によって係止可能に構成されている。
【００６１】
扉部４３は、開口６を開閉可能に構成されている。扉部４３の一側端には一対の係止ピン（図示せず）が設けられている。扉部４３は、この一対の係止ピンをペット収容部材４２の周壁４８に形成された一対の係止孔５０に挿入させることにより、周壁４８と回動自在に軸支されている。また、扉部４３は、一対の係止ピンが設けられる側端と反対側の側端においてマグネットやラッチ錠等の公知の方法により周壁４８と係止可能に構成されている。扉部４３は、一対の係止ピンと係止孔５０との係合を解除することによって取り外し自在に構成されている。
【００６２】
取っ手４４は、ペット収容部材４２に連結されている。取っ手４４は、天壁４９の略中央に設けられている。
【００６３】
一対の連結チェーン４５は、周壁４８のうち開口６が設けられる側壁の外側面を連結面として外付け固定するための固定部材である。一対の連結チェーン４５は、ペット収容部材４２の周壁４８と連結されている。具体的には、連結チェーン４５は、周壁４８を形成する側壁のうち、開口６が設けられる側壁と隣接される一対の側壁の開口側にそれぞれ連結されている。一対の連結チェーンは、開口６よりも上方で側壁を連結されている。一対の連結チェーン４５の先端はフック状に形成されている。
【００６４】
支え台４６は、周壁４８のうち開口６が設けられる側壁の外側面を連結面として外付け固定するための固定部材である。支え台４６は、ペット収容部材４２の底壁４７の外面側に連結されている。支え台４６は、開口６が設けられる側壁と反対側の側壁付近に連結されている。支え台４６は、互いに平行に配設される上板及び下板と、この上板及び下板に垂設される支柱とを有している。支え台４６を構成する支柱は、第一管状部材及び第一管状部材に内嵌される第二管状部材によって形成されている。また、支え台４６は、第一管状部材と第二管状部材とを所望の位置で固定するためのネジを有している。支え台４６は、第一管状部材と第二管状部材とを所望の長さに調整したうえでこの第一管状部材と第二管状部材とを固定することにより、高さ調整可能に構成されている。
【００６５】
図６を参照して、ペットハウス４１の外付け方法について説明する。
【００６６】
まず、扉部４３をペット収容部材４２から外す。また、ペットハウス４１の開口６と汎用ケージ５１の開口５２とが重なるように支え台４６の高さを調整する。そして、一対の連結チェーン４５を汎用ケージ５１の網状部５３に連結させる。これにより、ペットハウス４１は、開口６及び開口６が設けられる周壁４８の外側面を連結面として汎用ケージ５１に外付け固定される。
【００６７】
当該ペットハウス４１は、固定手段として一対の連結チェーン４５が用いられている。当該ペットハウス４１は、一対の連結チェーン４５を汎用ケージ５１の任意の網状部５３に連結させることができるので、汎用ケージ５１のサイズ等にかかわらず好適に連結することができる。また、当該ペットハウス４１は、支え台４６が開口６の設けられる側壁と反対側の側壁付近に設けられているので、汎用ケージ５１に連結される一対の連結チェーン４５と併行して用いられることで、ペットハウス４１を両側端から安定的に固定することができる。
【００６８】
当該ペットハウス４１は、開口６を開閉可能に構成される扉部４３と、ペット収容部材４２に連結される持ち運び手段とを有しているので、ペットを当該ペットハウス４１に収容して容易に持ち運ぶことができる。
【００６９】
当該ペットハウス４１は、周壁４８のうち開口６が設けられる外側面を連結面として外付け固定するための固定手段を有しているので、当該ペットハウス４１を他のケージに対して容易に外付けすることができ、ペットの飼育空間を広げることができる。
【００７０】
なお、本考案のペットハウスは、上記態様の他、種々の変更、改良を施した態様で実施することができる。例えば、当該ペットハウスは、ペット収容部材が底壁、周壁、天壁を有して形成される限り、家型、テント型、クーラーボックス型等、種々の形状に形成することができる。当該ペットハウスは、天面側冷却材保持手段が、ペット収容部材の天壁と連結されてポケット状に形成されていてもよい。当該ペットハウスは、底面側冷却材保持手段が、底壁の内面側に設けられていてもよい。このような底面側冷却手段としては、例えば、枠体及び複数の線状部材によって形成される本体の側縁に複数の脚部（又は側壁）が立設された簀子を挙げることができる。かかる簀子は、脚部によって囲まれた中空領域に冷却材を保持することでペット収容空間部を下方から冷却することができる。
【００７１】
天壁に設けられる複数の連通孔の配設位置は必要に応じて適宜変更することができる。天壁に設けられる複数の連通孔は、例えば、平面方向で天壁の面積を二等分する各領域に設けられていてもよい。当該ペットハウスは、複数の連通孔がこのように設けられることにより、ペット収容空間部の暖気を複数の連通孔からスムーズに排気することができ、暖気が天壁付近に滞留するのを防止することができる。また、連通孔は、天壁のみならず、周壁等に設けられていてもよい。
【００７２】
当該ペットハウスは、固定手段として必ずしも、一対の連結チェーンと、支え台とを有している必要はない。例えば、当該ペットハウスは、一対の連結チェーンの代わりに、周壁に設けられるフック等を有していてもよい。また、当該ペットハウスは、支え台の代わりに底壁と略同じサイズの底上げ台を使用してもよい。さらに、支え台は、開口が設けられている側壁側にも設けられていてもよい。当該ペットハウスは、汎用ケージの開口の位置によっては、必ずしも支え台や底上げ台を用いなくてもよい。
【産業上の利用可能性】
【００７３】
以上のように、本考案のペットハウスは、飼い主が長時間外出する場合でも、ペットに安全かつ快適な環境を与えることができ、室内又は室外で飼育されるペット用のペットハウス等として好適に用いられる。
【符号の説明】
【００７４】
１  ペットハウス
２  ペット収容部材
３  底壁
４  周壁
５  天壁
６  開口
７  連通孔
８  蓋部材
１１  載置部材（天面側冷却材保持手段）
１２  冷却材
１３  断熱部材
１４  防滴シート
１５  簀子
１６  載置部
１７  掛止部
１８  ペット収容空間部
１９  枠部
２１  ペットハウス
２２  ペット収容部材
２３  冷却材保持部（底面側冷却材保持手段）
２４  脚部
２５  底壁
３１  冷却材
３２  断熱部材
３３  断熱シート
３４  防滴シート
３５  孔
４１  ペットハウス
４２  ペット収容部材
４３  扉部
４４  取っ手
４５  連結チェーン
４６  支え台
４７  底壁
４８  周壁
４９  天壁
５０  係止孔
５１  汎用ケージ
５２  開口
５３  網状部
【図１】
0003171056.tif 000003
【図２】
0003171056.tif 000004
【図３】
0003171056.tif 000005
【図４】
0003171056.tif 000006
【図５】
0003171056.tif 000007
【図６】
0003171056.tif 000008